(57)【特許請求の範囲】
【請求項１】
乾燥樹脂からなる内容器を内側に挿着する外容器本体の上端開口部に、ヒンジを介して蓋部が開閉可能に接続する円筒状の容器であって、前記外容器本体の周壁上端外周面に、周方向へ等間隔に蓋部との咬合突部を複数個設け、前記蓋部の周壁下端内周面に、外容器本体との咬合リングを設け、天板下面に、外容器本体の周壁上端内周面に密接するインナーリングを垂設し、前記乾燥樹脂が、ベース樹脂に吸水すると膨張する乾燥剤の酸化カルシウムおよび／または高分子吸水体を分散混合するものであり、前記内容器の周壁上面から外周面下端に連続させて、周方向へ等間隔に断面Ｖ字状通気溝を複数個設け、底壁に、通気孔を複数個設け、前記内容器の有効乾燥能力限界における吸水により上昇する周壁の上端位置に対応させて、外容器本体の周壁内周面に内容器の有効乾燥能力限界線を設け、かつ、前記蓋材のインナーリングの先端位置を、内容器の有効乾燥能力限界線の近傍上方位置に設けたことを特徴とする乾燥樹脂内容器を有するプラスチック容器。
【発明の詳細な説明】
【技術分野】
【０００１】
本発明は、外容器本体内に乾燥樹脂内容器を挿着して容器内の湿度を１０％ＲＨ以下に保持し、その有効乾燥機能の限界が容易に確認できる乾燥樹脂内容器を有するプラスチック容器に関するものである。
【背景技術】
【０００２】
従来、血糖値などのセンサーチップ、尿蛋白検出などの検査紙、健康食品、電子部品、医薬錠剤などの、湿度が１０％ＲＨ以下の高い乾燥環境を必要とする内容物を収納する容器としては、例えば、外容器本体にヒンジを介して蓋部が開閉可能に接続し、外容器本体内に乾燥樹脂からなる内容器を二色射出成形法で一体に成形したＣＳＰ社の容器が知られていた。
【発明の開示】
【発明が解決しようとする課題】
【０００３】
しかしながら、上述した容器は、外容器の周壁上端外周面に設けられた咬合リングと、蓋部の周壁下端内周面に設けられた咬合リングとで、蓋部と外容器とのロックと密封を行っており、ロックと密封が同一構造によるものであるため、使用に伴う咬合部分の磨耗や傷の発生によって、密封性に問題を生じることがあった。また、蓋部を外容器に閉じたときのクリック感（カチッと嵌まるロック感覚）と、容器の密封性とを、それぞれ別個に、最良に調整することが不可能であった。そして、乾燥樹脂は、ベース樹脂のポリオレフィン中に乾燥剤として主体のモレキュラシーブとグリコールを混合分散させたものであり、この乾燥樹脂を、外容器内に二色射出成形法で一体成形するため、乾燥剤としては、膨張する乾燥剤（例えば、酸化カルシウム）や吸水体（例えば、アクリル酸系高分子吸水体）を使用することができず、使用する乾燥剤に制約があった。なお、乾燥剤としてグリコールを使用した乾燥樹脂は、吸水することにより表面にグリコール成分が溶出してきて黄味を帯びるが、この黄味によって乾燥樹脂の吸水能力の限界を認識することは難しかった。
【０００４】
本発明は、上述の従来の乾燥機能を有する容器の問題点を解決したものであり、蓋部を閉じたときのクリック感と容器の密封性とをそれぞれ別個に調整ができ、蓋部の開閉に伴う部材劣化によるクリック感や密封性への影響が少なく、有効乾燥機能の限界が容易に確認できる乾燥樹脂内容器を有するプラスチック容器を提供するものである。
【課題を解決するための手段】
【０００５】
すなわち、本発明は、乾燥樹脂からなる内容器を内側に挿着する外容器本体の上端開口部に、ヒンジを介して蓋部が開閉可能に接続する円筒状の容器であって、前記外容器本体の周壁上端外周面に、周方向へ等間隔に蓋部との咬合突部を複数個設け、前記蓋部の周壁下端内周面に、外容器本体との咬合リングを設け、天板下面に、外容器本体の周壁上端内周面に密接するインナーリングを垂設し、前記乾燥樹脂が、ベース樹脂に吸水すると膨張する乾燥剤の酸化カルシウムおよび／または高分子吸水体を分散混合するものであり、前記内容器の周壁上面から外周面下端に連続させて、周方向へ等間隔に断面Ｖ字状通気溝を複数個設け、底壁に、通気孔を複数個設け、前記内容器の有効乾燥能力限界における吸水により上昇する周壁の上端位置に対応させて、外容器本体の周壁内周面に内容器の有効乾燥能力限界線を設け、かつ、前記蓋材のインナーリングの先端位置を、内容器の有効乾燥能力限界線の近傍上方位置に設けたことを特徴とする乾燥樹脂内容器を有するプラスチック容器である。
【発明の効果】
【０００６】
本発明の乾燥樹脂内容器を有するプラスチック容器は、蓋部を外容器本体に閉じたときに、外容器本体の周壁上端外周面に周方向へ等間隔に設けられた複数個の咬合突部に、蓋部の周壁下端内周面に設けられた咬合リングが咬合してクリック感が感じられる。また、、蓋部の天板下面に垂設されたインナーリングの外周面が外容器本体の周壁上端内周面に密接して、蓋部による外容器本体の密封がなされる。従って、外容器本体の咬合突部の個数又は蓋部の咬合リングとの咬合度合いを変えることにより、蓋部を閉じたときのクリック感を調整することができ、また、別個に、蓋部のインナーリングの外周面と外容器本体の周壁上端内周面との密接度合いを変えることにより、容器の密封性を調整することができる。また、蓋部の閉じたときのクリック感と容器の密封とは、別個のところで行われるので、使用時の蓋部の多数回の開閉に伴う部材劣化によるクリック感及び密封性への影響が比較的に少なくて済む。
【０００７】
また、本発明の乾燥樹脂内容器を有するプラスチック容器は、内容器の乾燥樹脂がベース樹脂に吸水すると膨張する乾燥剤の酸化カルシウムおよび／または高分子吸水体を分散混合するものであり、内容器が容器内の水分を吸収するにつれて、内容器の周壁上端が上方へ延びる。このため、内容器の有効乾燥能力限界における吸水により上昇する周壁の上端位置に対応させて、外容器本体の周壁内周面に内容器の有効乾燥能力限界線を設けて置くと、容器の有効乾燥機能の限界を容易に確認することができる。また、蓋材のインナーリングの先端位置が、内容器の有効乾燥能力限界線の近傍上方位置に設けられているため、内容器が有効乾燥能力の限界以上に吸水したときには、蓋材のインナーリングの先端と内容器の周壁上端とが接触して蓋部が閉まらなくなる。
【発明を実施するための最良の形態】
【０００８】
次に、本発明の乾燥樹脂内容器を有するプラスチック容器の一実施形態について、図を用いて詳細に説明する。
【０００９】
本実施形態の乾燥樹脂内容器を有するプラスチック容器（１０）は、図１に示すように、外容器（１００）の内側に乾燥樹脂からなる内容器（２００）を挿着する円筒状の容器である。
【００１０】
外容器（１００）は、図１及び図２に示すように、外容器本体（１１０）の上端開口部に、ヒンジ（１０１）を介して蓋部（１２０）が開閉可能に接続し、外容器本体（１１０）は、周壁（１１１）と底壁（１１５）とからなり、周壁上端外周面に、周方向へ等間隔に蓋部（１２０）との咬合突部（１１２）を複数個設け、上方外周面に蓋部受けリング（１１３）を設け、外容器本体（１１０）の周壁（１１１）内周面に、内容器（２００）の周壁（２０１）の有効乾燥能力限界における上端位置に対応させて、内容器の有効乾燥能力限界線（１１４）を設けるものである。蓋部（１２０）は、天板（１２１）と周壁（１２３）とからなり、天板下面に、外容器本体（１１０）を封止するインナーリング（１２２）（外周面を外容器本体の周壁上端部内周面に密接）を垂設し、周壁（１２３）の前方下端に開閉用つまみ（１２５）を突設し、周壁（１２３）の下端内周面に、外容器本体との咬合リング（１２４）を設けるものである。外容器は、ポリプロピレンなどの熱可塑性樹脂を用いて、射出成形法により外容器本体と蓋部とを一体に成形するものである。
【００１１】
次に、内容器（２００）は、図３（ａ）に示すように、周壁（２０１）と底壁（２０４）とからなるカップ状容器であり、周壁（２０１）には、図３（ａ）及び図４に示すように、上面（２０２）から外周面下端に連続させて、周方向へ等間隔に断面Ｖ字状通気溝（２０３）を複数個設け、底壁（２０４）には、図３（ａ）及び（ｂ）に示すように、多数の通気孔（２０５）を設けるものである。周壁の外周に設けられた断面Ｖ字状通気溝と、底壁を貫通する通気孔とにより、容器内の内容器による吸水が良好となり、また、内容器を外容器本体内にセットするときのセット性が良好となる。内容器は、ベース樹脂に吸水
すると膨張する乾燥剤の酸化カルシウムおよび／または高分子吸水体を分散混合する乾燥樹脂を用いて、外容器とは別個に、射出成形法により成形するものである。
【００１２】
なお、乾燥樹脂に用いる酸化カルシウムは、粒径が５〜１００μｍのものが吸水能力から好ましい。高分子吸水体は、アクリル系の高分子吸水体であり、粒径が５〜１００μｍのものが好ましい。乾燥剤の組合せとしては、酸化カルシウムと高分子吸水体、モレキュラシーブと高分子吸水体、モレキュラシーブと酸化カルシウムと高分子吸水体などである。また、ベース樹脂としては、乾燥剤の吸水による膨張が可能な直鎖状低密度ポリエチレン、低密度ポリエチレン、軟質ポリプロピレン、エチレン・プロピレン・ジエン三成分共重合体ゴム、エチレン・プロピレンゴムなどが好ましい。
【図面の簡単な説明】
【００１３】
【図１】蓋部がヒンジを介して開閉可能に接続する外容器本体に、乾燥樹脂からなる内容器を内側に挿着する本発明の一実施形態の乾燥樹脂内容器を有するプラスチック容器の断面図である。
【図２】図１の本発明の一実施形態の乾燥樹脂内容器を有するプラスチック容器の要部の拡大断面図である。
【図３】（ａ）は、図１の本発明の一実施形態の乾燥樹脂内容器を有するプラスチック容器の内容器の断面図であり、（ｂ）は、その底面図である。
【図４】図１の本発明の一実施形態の乾燥樹脂内容器を有するプラスチック容器の内容器の一部を切欠いた平面図である。
【符号の説明】
【００１４】
１０……容器
１００……外容器
１０１……ヒンジ
１１０……外容器本体
１１１，１２３，２０１……周壁
１１２……咬合突部
１１３……蓋部受けリング
１１４……有効乾燥能力限界線
１１５，２０４……底壁
１２０……蓋部
１２１……天板
１２２……インナーリング
１２４……咬合リング
１２５……開閉用つまみ
２００……内容器
２０２……上面
２０３……通気溝
２０５……通気孔
【図１】
0004802815.tif 000002
【図２】
0004802815.tif 000003
【図３】
0004802815.tif 000004
【図４】
0004802815.tif 000005